(57)【特許請求の範囲】
【請求項１】
育苗箱を水平横移送させる移送台１と、該移送台１の端部に基部を取付けた延長フレーム４と、前記移送台１と前記延長フレーム４の取付部分の上面に両者を跨がって設けた取付金具５と、前記移送台１の端部に設けた駆動軸２６と、該駆動軸２６に設けた駆動プーリ９と、前記延長フレーム４の先側に設けたテンション受動プーリ８と、前記駆動プーリ９と前記テンション受動プーリ８との間に巻回した育苗箱移送ベルト１０とからなり、前記受動プーリ８は育苗箱移動方向に長い長穴１３で支受させるとともにベルト緊張方向に付勢するバネ１６を設けたものにおいて、延長フレーム４の基部１８と移送台１の端部２との間に物品の挟み込みを防止する隙間２０を形成し、移送台１の左右のフレーム２１には延長フレーム４側に至るに従い低く傾斜しその先端には左右方向の握り部材２３を固定した傾斜取付部材２２の基部をそれぞれ固定し、前記延長フレーム４には、前記傾斜取付部材２２の上面に向かって出入りする水平調節装置２４を設けた播種装置等の移送装置。
【発明の詳細な説明】
【０００１】
【産業上の利用分野】
本発明は、土供給装置や播種装置等の延長フレームに係るものである。
【０００２】
【従来技術】
従来公知の実開昭６２−６５０１７号公報には、育苗箱を水平横移送させる移送台と、該移送台の終端部に突合せ状態に取付られる延長フレームと、前記移送台と前記延長フレームの突合せ部分の上面に両者を跨がって設けた軸着金具と、前記移送台の終端部に設けた駆動軸と、該駆動軸に設けた駆動プーリと、前記延長フレームに設けたテンション受動プーリと、前記駆動プーリと前記テンション受動プーリとの間に巻回した育苗箱移送ベルトとからなり、前記受動プーリは育苗箱移動方向に長い長孔で支受させるとともにベルト緊張方向に付勢するバネを設けた構成について記載されている。
【０００３】
【発明が解決しようとする課題】
前記公知例は、延長フレームの基部と移送台の端部とを突き当てる構成のため、知らないうちに物が挟まって延長フレームが傾斜して移送が円滑でないという課題がある。また、延長フレームの基部を移送台の端部に突き当てたとき、製造および取付誤差により延長フレーム４の先端が上になってしまう場合は、もはや調節不能であるという課題がある。したがって、製造、組立、取付調節が面倒であるという課題もある。
【０００４】
【発明の目的】
延長フレームの基部と移送台の端部との間の物の挟込みの防止、延長フレームおよび移送台の水平調節の容易化、移送台の運搬の容易化、移送台の保護。
【０００５】
【課題を解決するための手段】
本発明は、育苗箱を水平横移送させる移送台１と、該移送台１の端部に基部を取付けた延長フレーム４と、前記移送台１と前記延長フレーム４の取付部分の上面に両者を跨がって設けた取付金具５と、前記移送台１の端部に設けた駆動軸２６と、該駆動軸２６に設けた駆動プーリ９と、前記延長フレーム４の先側に設けたテンション受動プーリ８と、前記駆動プーリ９と前記テンション受動プーリ８との間に巻回した育苗箱移送ベルト１０とからなり、前記受動プーリ８は育苗箱移動方向に長い長穴１３で支受させるとともにベルト緊張方向に付勢するバネ１６を設けたものにおいて、延長フレーム４の基部１８と移送台１の端部２との間に物品の挟み込みを防止する隙間２０を形成し、移送台１の左右のフレーム２１には延長フレーム４側に至るに従い低く傾斜しその先端には左右方向の握り部材２３を固定した傾斜取付部材２２の基部をそれぞれ固定し、前記延長フレーム４には、前記傾斜取付部材２２の上面に向かって出入りする水平調節装置２４を設けた播種装置等の移送装置としたものである。
【０００６】
【実施例】
本発明の実施例を図面により説明すると、１は水平の移送台で、育苗箱を端部２より供給すると移送する。移送台１は、移送方向に長く形成され、所望の位置に設けた支脚により床上に支持される。移送台１の上方位置には、床土供給装置、種籾供給装置、潅水ノズル、覆土供給装置等の全部又は一部を設ける。
しかして、移送台１の端部２には延長フレーム４を設ける。延長フレーム４は育苗箱を移送台１に供給又は取り出すためのものである。延長フレーム４は取付金具５の枢軸６を中心に略水平状態から起立格納状態の間上下回動折畳自在に移送台１に取付けられる。
【０００７】
しかして、延長フレーム４の先端部７にはテンション受動プーリ８を設ける。テンション受動プーリ８には、移送台１に取付けた駆動プーリ９との間に育苗箱移送ベルト１０を巻回する。テンション受動プーリ８は左右方向の軸１１に固着し、軸１１の両端部には移動板１２を軸着する。
延長フレーム４の先端部７には、前後方向に長い長穴１３を形成し、該長穴１３に前記軸１１を挿通する。移動板１２の端部には、軸１４の一端を抜けないが摺動自在に取付け、軸１４の他端を延長フレーム４に設けた固定板１５に抜けないが摺動自在に取付け、移動板１２と固定板１５の間の軸１４の外周には、バネ１６を巻回する。バネ１６は前記移動板１２を延長フレーム４の先端部７側に押し付けるように付勢し、テンション受動プーリ８と駆動プーリ９との間隔を常時広くするように付勢する。
【０００８】
しかして、延長フレーム４の基部１８と移送台１の端部２との間には、所定の間隔の隙間２０を設ける。移送台１の左右のフレーム２１の端部２には延長フレーム４側に至るに従い低く傾斜する傾斜取付部材２２の基部をそれぞれ固定し、傾斜取付部材２２の先端には左右方向の握り部材２３を固定する。握り部材２３は延長フレーム４を折り畳んだときに移送台１を持ち上げ運搬するのに使用する。そして、前記延長フレーム４の基部１８側には、前記傾斜取付部材２２の上面に向かって出入りする水平調節装置２４のボルト２５を螺合させて設ける。
２６は駆動プーリ９を固定した軸、２７は育苗箱支持板、２８は補強杆、２９は移送ローラーである。
【０００９】
【作用】
次に作用を述べる。
延長フレーム４を水平状態に回動させ、延長フレーム４の育苗箱移送ベルト１０の上面に育苗箱を供給すると、移送台１に設けてあるモーターが駆動して、軸２６を回転させ、軸２６に固定されている駆動プーリ９が回転し、該駆動プーリ９と延長フレーム４の先端部７のテンション受動プーリ８には育苗箱移送ベルト１０が巻回されているから、育苗箱移送ベルト１０が回転して育苗箱を移送台１に移送する。
【００１０】
したがって、延長フレーム４と移送台１とは、常時同じ回転数で回転し、円滑に移送する。即ち、移送台１には加変速モーターを設け、作業により育苗箱の移送速度を変更するが、この場合、延長フレーム４を別に駆動すると、同期させるのが困難になるので、これを防止するという根本的な問題を解決する。
この場合、延長フレーム４を使用状態にしたとき、水平（完全な水平を意味せず、移送台１と延長フレーム４が同一線上に位置することをいう）にならなければ、育苗箱を円滑に移送して移送台１に引き継げない。そして、延長フレーム４の基部１８と移送台１の端部２とを突き当てるようにすると、この間に物が挟まって、水平にできず、また、製造および取付誤差により延長フレーム４の基部１８と移送台１の端部２とを正確に当接させるのが困難であるが、本発明は、延長フレーム４の基部１８と移送台１の端部２との間には隙間２０を設けているから、この間に物が挟まるのを完全に防止する。
【００１１】
しかして、移送台１の左右のフレーム２１の端部２には延長フレーム４側に至るに従い低く傾斜する傾斜取付部材２２の基部をそれぞれ固定し、延長フレーム４の基部１８側には、前記傾斜取付部材２２の上面に向かって出入りする水平調節装置２４のボルト２５を螺合させているから、ボルト２５が傾斜取付部材２２に当接して、延長フレーム４を水平に支持する。したがって、育苗箱を円滑かつ確実に移送させる。
移送台１に移送された育苗箱は、床土供給装置により床土の供給を受け、種籾供給装置により種籾の供給を受け、覆土供給装置により覆土の供給を受ける。
【００１２】
しかして、延長フレーム４は取付金具５により移送台１に上下回動折畳自在に取付けられているから、取付金具５の枢軸６を中心に起立状態に回動させると、移送台１の全長を短かくした状態で容易に格納することができる。
この場合、テンション受動プーリ８と駆動プーリ９との間隔は、延長フレーム４を回動させると変化するが、テンション受動プーリ８の軸１１を延長フレーム４に対して移動自在とし、軸１１と延長フレーム４との間にテンション受動プーリ８と駆動プーリ９との間隔を常時広くするように付勢するバネ１６を設けているから、バネ１６はテンション受動プーリ８を延長フレーム４の先端部７側に押し付けるように付勢し、育苗箱移送ベルト１０を緊張させる。したがって、育苗箱移送ベルト１０の外れを防止する。
【００１３】
しかして、移送台１の端部２に設けた傾斜取付部材２２の先端には左右方向の握り部材２３を固定しているから、延長フレーム４を折畳んで格納して全長を短かくした状態の移送台１は、握り部材２３を握って持ち上げ容易に運搬できる。したがって、作業性を向上させる。
また、延長フレーム４を格納した状態では、移送台１の端部２が突出するが、端部２には握り部材２３があるので、端部２および移送台１を保護する。
また、延長フレーム４の基部１８と移送台１の端部２とを突き当てる構成では、延長フレーム４と移送台１が衝突して破損すると修理不能になるが、本発明では、ボルト２５と傾斜取付部材２２が当接するので、致命的な破損を防止する。
【００１４】
【効果】
本発明は、育苗箱を水平横移送させる移送台１と、該移送台１の端部に基部を取付けた延長フレーム４と、前記移送台１と前記延長フレーム４の取付部分の上面に両者を跨がって設けた取付金具５と、前記移送台１の端部に設けた駆動軸２６と、該駆動軸２６に設けた駆動プーリ９と、前記延長フレーム４の先側に設けたテンション受動プーリ８と、前記駆動プーリ９と前記テンション受動プーリ８との間に巻回した育苗箱移送ベルト１０とからなり、前記受動プーリ８は育苗箱移動方向に長い長穴１３で支受させるとともにベルト緊張方向に付勢するバネ１６を設けたものにおいて、延長フレーム４の基部１８と移送台１の端部２との間に物品の挟み込みを防止する隙間２０を形成し、移送台１の左右のフレーム２１には延長フレーム４側に至るに従い低く傾斜しその先端には左右方向の握り部材２３を固定した傾斜取付部材２２の基部をそれぞれ固定し、前記延長フレーム４には、前記傾斜取付部材２２の上面に向かって出入りする水平調節装置２４を設けた播種装置等の移送装置としたものであるから、延長フレーム４の基部１８と移送台１の端部２との間に物が挟まるのを完全に防止でき、延長フレーム４と移送台１とを水平状態にすることができる。
また、移送台１の端部２には傾斜取付部材２２を設け、延長フレーム４には傾斜取付部材２２の上面に向かって出入りする水平調節装置２４が設けてあるから、延長フレーム４を水平に支持し、育苗箱を円滑かつ確実に移送させる。
また、傾斜取付部材２２の先端には左右方向の握り部材２３を固定しているから、延長フレーム４を折畳んで格納して全長を短かくした状態の移送台１は、握り部材２３を握って持ち上げて運搬できるので、運搬を容易にできる。また、延長フレーム４を格納した状態では、移送台１の端部２が突出するが、端部２には握り部材２３があるので、端部２および移送台１を保護する。また、延長フレーム４の基部１８と移送台１の端部２とを突き当てる構成では、延長フレーム４と移送台１が衝突して破損すると修理不能になるが、本発明では、ボルト２５と傾斜取付部材２２が当接するので、致命的な破損を防止できるという効果を奏する。
【図面の簡単な説明】
【図１】  斜視図。
【図２】  要部側面図。
【図３】  移送台の端部の正面図。
【符号の説明】
１…移送台、２…始端部、４…延長フレーム、５…取付金具、７…先端部、８…テンション受動プーリ、９…駆動プーリ、１０…育苗箱移送ベルト、１１…軸、１２…移動板、１３…長穴、１４…軸、１５…固定板、１６…バネ、１８…基部、１９…端部、２０…隙間、２１…フレーム、２２…傾斜取付部材、２３…握り部材、２４…水平調節装置、２５…ボルト、２６…軸、水平調節装置２４…水平調節装置、２７…育苗箱支持板、２８…補強杆。
【図１】
0003723256.tif 000002
【図２】
0003723256.tif 000003
【図３】
0003723256.tif 000004